(57)【要約】      （修正有）【課題】冷たい飲み物等を入れたコップ等をコースターの上に置いて少し時間が経過すると、同コップの外側に自然に水滴が発生し、その水滴の水分が底の部分に溜まってコースター上のコップと下方の同コースターが密着する。その結果、冷たい飲み物等を入れたコップ等をコースターの上から持ち上げた際、同コップの底の部分に同コースターが軽く吸引されて同コップに連れられて持ち上がり、同コースターが卓上等から離れたところで離脱し、卓上等に落下する。これらの状況を軽減し改良するコースターや茶たくの構造に関するものである。【解決手段】これらの現象を解決する手段として、同コップの底の部分と同コースターの上表面に空間と通気を保持することよって、解決する手段とした。【選択図】図１
0003141045.tif 000002
【実用新案登録請求の範囲】
【請求項１】
コースターや茶たくの表部分に網目様のほか、縦ならびや横並びに柱様の突起状の物をつけて、コップや茶たくに冷たい飲み物等を入れたコップや湯飲みを置いた際に外側の水分がコースター表面部に密着しないようにして、さらに、コップや茶たくの外側の底の部分の水分がコースターの表側のくぼみの部分に溜まるようにした構造のコースターや茶たく。
【請求項２】
〔請求項１〕の構造のコースターや茶たくの表部分を網目様の部分や柱様の突起物の先端部分を突起やくぼみ状にして、花や草木の模様のほか、いろんな紋様、キヤラクター、会社のマーク紋様等をあしらった絵画や写真、記号等を記載した薄板状の物を貼り付けたり、挿入したコースターや茶たく。
【考案の詳細な説明】
【技術分野】
【０００１】  本考案は、冷たい飲み物を入れたコップや湯のみを持ち上げた際、下敷きのコースターや茶たくが連ねて上がらないコースターや茶たくに関するものである。
【背景技術】
【０００２】  従来は、冷たい飲み物を入れたコップや湯のみをコースターや茶たくにのせておくと、飲用のときに、同コップ等とコースターが一時的に連ねて持ち上がり、途中でコースターだけが落下して、不愉快、不便であった。
【考案の開示】
【考案が解決しようとする課題】
【０００３】  冷たい飲み物を入れたコップや湯のみと下敷きのコースターや茶たくが密着しないようにするための解決をしようとするものである。
【課題を解決するための手段】
【０００４】  本考案は、コースターや茶たくの表面のコップや湯のみを置く所に網目様のほか、縦並びや横並びに柱様の突起状の物をつけることによって、コップや湯のみの底の表面とコースターや茶たくの表面が密着しないようにすることにより、問題点を解決している。
【考案の効果】
【０００５】  本考案を実施することにより、冷たい飲み物を入れたコップや湯のみがコースターや茶たくに密着せず、飲用の時、コップや湯のみを持ち上げてもコースターや茶たくが離れて、従来のような途中落下の不便を無くすことに役立つ。
【考案を実施するための最良の形態】
【０００６】  冷たい飲み物を入れたコップや湯のみが、下敷きのコースターや茶たくと密着するのは、従来のコースターや茶たくの上面の表面が平らであり、そこへ底面が平らなコップや湯のみを置けば、この平らな上下の表面の間にわずかな空間が生じる。この空間の空気圧は、上の冷たい飲み物が入ったコップや湯のみの為、時間の経過とともに空間の空気が冷やされて空気の圧力が低下する。加えて、この状態の時に、冷たい飲み物等が入っているコップや湯のみの外周に、空気が触れて冷やされ、水滴となった水分がコップや湯のみの外周の下部にしたたって、前述のわずかな空間への空気の出入りを塞ぎ、この空間の温度低下と気圧の低下が原因となり、その結果、上に位置する冷たい飲み物を入れたコップや湯のみと下に位置するコースターや茶たくとの間が引き合う力となって、これら上と下の関係が密着となる。
これらの密着の状況を解消する為には、コースターや茶たくの上の表面を凹凸状況にして、コップや湯のみの底の面が接着せず、加えて、上のコップや湯のみからしたたり落ちる水滴が下のコースターや湯のみの下の部分に留まるようにすれば問題は解決する。
【実施例】
【０００７】  以下、添付図面に従って一実施例を説明する。この製品の素材はプラスチック、アルミ、ステンレス、薄い鉄板、ゴム、陶器、木材等の素材を、加熱、プレス、研磨形成、或いは塩化ビニール等の溶解固形物を型枠等への注入のうえ冷却形成をする方法等で完成が可能で、特定の素材を必要とせず、加えて、多様な製品に完成する特徴がある。【０００８】  コップや湯のみの外側からしたたり落ちる水滴が下のコースターや茶たくの上表面に溜まるように、空間を設け、さらに、上のコップや湯のみの外側の底の部分とコースターの上の部分が密着しないようにコースターや茶たくに突起を設け、或いはステンレス、その他の金属、硬化ビニール等の網目をコースターの表面に設ける。
【産業上の利用可能性】
【０００９】  本案のコースターや茶たくの上部の表面や側面に、各種宣伝の文言、記号、マークを付けることにより、各会社や商店の宣伝をすることが出来るほか、ビヤホール等における一口宣伝、或いはホテルや会社等において使用の場合、所有権主張のネームや記号の表示。これらの他、ビール会社の記号入りコースターの贈答品等として、大量に生産する等、製造の関連各企業にとっては、産業生産上の利用効果となる。
【図面の簡単な説明】
【００１０】
【図１】簡単な構造の場合のコースターや茶たくの実施例を示す平面図及び断面図である。
【図２】は〔図１〕の簡単な構造の場合における薄い板鉄板やステンレス、アルミ板等をプレス加工したものやプラスチック成型加工した場合の断面図である。
【図３】冷たい飲み物等を入れたコップや湯のみからコースターや茶たくに垂れ落ちる水分を受ける皿のコースターや茶たくの平面図である。
【図４】は同上〔図３〕の断面図である。
【図５】は〔図３〕の構造のものを市販の通常のコースターや茶たくの上に乗せた場合の断面図である。
【図６】コップや湯のみの底の部分とコースターや茶たくの上部表面の部分が密着しないようにする為のコースターや茶たくの突起部の構造の平面図である。
【図７】は同上〔図６〕の断面図である。
【図８】突起部分を円柱型或いは四角柱とし、さらに垂れ落ちる水分が下の受け皿に入るようにコースターの上部に小穴を設けた実施例の平面図である。
【図９】は〔図８〕の断面図である。
【図１０】突起部が円柱や四角柱の場合にコースターや茶たくの中央部分に宣伝の字句や記号、絵等を入れた場合の実施例を示す平面図である。
【図１１】は〔図１０〕の断面図である。
【図１２】コップや湯のみの底の部分と、コースターや茶たくの上部表面が密着しても、密着状態の中間が真空状態にならないように、網目様の金属、プラスチック、ビニール等を用いた場合の実施例で平面図である。
【図１３】は同上〔図１２〕の断面図である。
【図１４】は〔図１３〕のコースターの中央部分に宣伝の字句や記号、絵等を記入した薄いアルミ板等を貼り付けた場合の平面図である。
【図１５】は〔図１４〕の断面図である。
【図１６】は〔図１４〕の宣伝用の薄いアルミ板等を貼り付けた場合の実施例の平面図である。
【図１７】は〔図１６〕の断面図である。
【符号の説明】
【００１１】  １  冷たい飲み物等を入れたコップや湯のみと下のコースターや茶たくが密着しないコースターや茶たくの本体
２  本体の丸柱や四角柱様の突起物
３  平面に設置した場合、本体のガタつきをなくす為の三本の脚
４  ステンレス等の薄い鉄板やアルミ板等をプレス加工、或いはプラスチック製で成型加工した本体
５  市販の従来からのコースターやお皿
６  本体の丸柱様の突起物
７  本体の機能を補助するため、さらに外周に設置したコースター
８  本体の表面の水滴を、さらに、下方に流す穴
９  本体の中央部分に設置する宣伝の字句や記号、絵やマーク等
１０  主としてビールジョツキ用のコースターとして、ステンレス製等の金属や極太の硬化ビニール製様の網目様のもの
１１  ビールジョツキ等の大型のコップ用として、本体の中央や側面に貼り付けた宣伝広告等を書いたアルミ等の金属製の板やプラスチック板
１２  本体の中央部や側面に貼り付けた任意変形の宣伝広告の実施例
【図１】
0003141045.tif 000003
【図２】
0003141045.tif 000004
【図３】
0003141045.tif 000005
【図４】
0003141045.tif 000006
【図５】
0003141045.tif 000007
【図６】
0003141045.tif 000008
【図７】
0003141045.tif 000009
【図８】
0003141045.tif 000010
【図９】
0003141045.tif 000011
【図１０】
0003141045.tif 000012
【図１１】
0003141045.tif 000013
【図１２】
0003141045.tif 000014
【図１３】
0003141045.tif 000015
【図１４】
0003141045.tif 000016
【図１５】
0003141045.tif 000017
【図１６】
0003141045.tif 000018
【図１７】
0003141045.tif 000019
【手続補正書】
【提出日】平成19年11月19日(2007.11.19)
【手続補正１】
【補正対象書類名】実用新案登録請求の範囲
【補正対象項目名】全文
【補正方法】変更
【補正の内容】
【実用新案登録請求の範囲】
【請求項１】
コースターや茶たくの表面部分に網目様や、縦並びや横並びに柱様の突起物をつけた構造のもので、冷たい飲み物等を入れたコップや湯のみの底の部分とコースターや茶たくの表面部分に隙間をつくり、さらに、コースターや茶たくの表面部分に垂れ落ちた水分がコースターや茶たくの下方のくぼみの部分に留まるようにした構造のコースターや茶たく。
【請求項２】
請求項１の構造のコースターや茶たくの表面部分の網目様の部分や突起物をつけたコースターや茶たくは、表面部分の網目様や突起物の部分と垂れ落ちた水分が留まるようにした下の部分とが脱着して清掃可能な構造とし、表面や側面の部分に、花や草木のほか、いろんな模様等をあしらった絵画や写真及び文字を印刷し、あるいはプレス造形や圧縮造形したもの、及び、これらを表現したもので印刷やプレス造形、圧縮造形等をしたアルミニウム、プラスチック等を貼り付けしたコースターや茶たく。
【手続補正２】
【補正対象書類名】図面
【補正対象項目名】図１４
【補正方法】変更
【補正の内容】
【図１４】
0003141045.tif 000020
【手続補正３】
【補正対象書類名】図面
【補正対象項目名】図１６
【補正方法】変更
【補正の内容】
【図１６】
0003141045.tif 000021